(57)【要約】【課題】  演奏者の体格に拘らず、ペダルの踏込み操作を自然な姿勢でスムーズに行うことができる電子楽器のペダル装置を提供する。を提供する。【解決手段】  楽器本体２の下方に設けられ、演奏音にペダル効果を付与するために演奏者によって操作される電子楽器１のペダル装置であって、楽器本体２の下方に移動自在に設けられたペダル土台１１ｂと、ペダル土台１１ｂに設けられるとともに演奏者側に突出し、演奏者によって踏み込まれるペダル１２と、ペダル土台１１ｂを、互いに異なる所定の複数の位置のそれぞれにおいて、楽器本体２に対して固定する固定機構２１と、を備えている。【選択図】  図２
2005070565.tif 000002
【特許請求の範囲】
【請求項１】
楽器本体の下方に設けられ、演奏音にペダル効果を付与するために演奏者によって操作される電子楽器のペダル装置であって、
前記楽器本体の下方に移動自在に設けられたペダル土台と、
当該ペダル土台に設けられるとともに前記演奏者側に突出し、前記演奏者によって踏み込まれるペダルと、
前記ペダル土台を、互いに異なる所定の複数の位置のそれぞれにおいて、前記楽器本体に対して固定する固定機構と、
を備えていることを特徴とする電子楽器のペダル装置。
【請求項２】
前記ペダル土台は、前記電子楽器の前後方向に移動可能に構成されていることを特徴とする請求項１に記載の電子楽器のペダル装置。
【請求項３】
楽器本体の下方に設けられ、演奏音にペダル効果を付与するために演奏者によって操作される電子楽器のペダル装置であって、
前記楽器本体の下方に設けられ、左右方向に延びるペダル土台と、
当該ペダル土台の中央部から左右方向にずれた位置に設けられ、前記演奏者に向かって斜めに延び、前記演奏者によって踏み込まれるペダルと、
を備えていることを特徴とする電子楽器のペダル装置。
【請求項４】
前記ペダル土台は、前記ペダルを左右方向の互いに異なる複数の位置に取付け可能に構成されていることを特徴とする請求項３に記載の電子楽器のペダル装置。
【発明の詳細な説明】
【技術分野】
【０００１】
本発明は、演奏音にペダル効果を付与するために演奏者によって操作される電子楽器のペダル装置に関する。
【背景技術】
【０００２】
従来、一般に、電子楽器のペダルは、例えば電子ピアノの場合、ピアノ本体の中央の下方の床面付近の一定位置に、前方に突出するように設けられている。演奏者は、演奏時においては、電子ピアノに向かってその正面に座り、このペダルを踏み込むことによって、演奏音にペダル効果が付与する。
【０００３】
一方、従来のピアノのペダル装置として、例えば特許文献１に開示されたものが知られている。このペダル装置は、アップライトピアノの内部に設けられており、床面付近の底板および前土台などによって取り囲まれている。また、ペダル装置は、底板に立設された軸と、これに揺動自在に支持されたペダルなどを備えている。ペダルは、ペダル杆およびペダル踏込み部を有しており、ペダル杆は、断面がコ字状で下方に開放していて、前後方向に延びている。また、その前端部において前記軸によって支持されており、左右の両側面からそれぞれピンが側方に突出している。ペダル踏込み部もまた断面がコ字状で前後方向に延びており、左右の側部には、前後方向に延びる長孔がそれぞれ形成されいる。
【０００４】
このようなペダル踏込み部は、ペダル杆に上方から被せられるようにして取り付けられており、ペダル踏込み部の長孔にペダル杆のピンが係合している。これにより、ペダル踏込み部は、ペダル杆に対して前後方向にスライド自在になっている。ペダル踏込み部の前後の所定の位置には、前土台に取り付けられた板ばね状のストッパが係合する凹部がそれぞれ形成されており、ストッパが凹部と選択的に係合することにより、最も前方にスライドした演奏位置と、最も後方にスライドした収納位置のいずれかに固定される。ペダル踏込み部は、演奏位置では、前土台に形成されたペダル窓から前方に突出し、演奏者によって踏込み可能な状態になり、一方、収納位置では、ピアノ本体内に収納される。
【０００５】
前述した従来の一般的なペダルには、以下のような問題がある。すなわち、電子楽器には、例えばキーボードタイプの電子ピアノのように、その奥行きが小さい機種があり、そのような電子楽器を演奏するために、演奏者が電子楽器に向かって自然な姿勢で座ったときに、演奏者の体格が大きい場合には、そのひざが、楽器本体の下方の空間の奥深くに入り込んでしまうことがある。このような場合に、ペダルは、前方に突出するように設けられているので、演奏者がペダルを踏み込むためには、ひざを不自然に曲げた窮屈な姿勢にならざるを得ず、ペダルの踏込み操作をスムーズに行えないため、演奏に支障をきたすおそれがある。逆に、幼児などが演奏する場合は、ペダルに足が届かないおそれがある。また、このような不具合を回避するために、楽器本体とは別体のポータブル式のペダルを床に置いた状態で用いることも知られている。しかし、この場合には、ペダルを足の位置に合わせて移動させることが可能であるものの、このようなポータブル式のペダルは、床面に固定されていないため、例えばペダルを強く踏み込んだ際に動いてしまう可能性があり、ペダルの操作を安定して行うことができないおそれがある。
【０００６】
また、上述した特許文献１のペダル装置は、ペダル踏込み部を、前後方向にスライドさせることによって演奏位置と収納位置に切り換えるに過ぎず、ペダル踏込み部を収納位置にスライドさせたときには、ペダル踏込み部がピアノ内に収納されてしまい、これを操作することは不可能である。このため、演奏者の体格に合わせるために、ペダルの操作性の改善を目的として、ペダルの位置調整を行うことはできない。
【０００７】
本発明は、以上のような課題を解決するためになされたものであり、演奏者の体格に拘らず、ペダルの操作を自然な姿勢でスムーズに行うことができる電子楽器のペダル装置を提供することを目的としている。
【０００８】
【特許文献１】実開昭６０−１３５９４号公報  （第１頁、第９、１０図）
【発明の開示】
【課題を解決するための手段】
【０００９】
この目的を達成するために、本発明の請求項１に係る発明は、楽器本体の下方に設けられ、演奏音にペダル効果を付与するために演奏者によって操作される電子楽器のペダル装置であって、楽器本体の下方に移動自在に設けられたペダル土台と、ペダル土台に設けられるとともに演奏者側に突出し、演奏者によって踏み込まれるペダルと、ペダル土台を、互いに異なる所定の複数の位置のそれぞれにおいて、楽器本体に対して固定する固定機構と、を備えていることを特徴とする。
【００１０】
このペダル装置によれば、楽器本体の下方のペダル土台を移動させると、これに設けられたペダルは、演奏者側に突出した状態を維持しながら、ぺダル土台とともに移動する。また、移動したペダル土台は、固定機構により、互いに異なる所定の複数の位置のいずれかにおいて、楽器本体に対して固定される。これにより、演奏者は、ペダル装置を所定の複数の位置のいずれかに移動させることによって、ペダルを、自分の体格に合わせ、ペダルの操作に最も適した位置に調整することができる。また、ペダルがペダル土台を介して楽器本体に固定されるので、従来のポータブル式のペダルと異なり、ペダルの安定した操作を確保できる。
【００１１】
請求項２に係る発明は、請求項１に記載の電子楽器のペダル装置において、ペダル土台は、電子楽器の前後方向に移動可能に構成されていることを特徴とする。
【００１２】
このペダル装置によれば、ペダル土台とこれに設けられたペダルは、前後方向に移動する。これにより、例えばキーボードタイプの電子ピアノのように電子楽器の奥行きが小さい場合に、演奏者が電子楽器の正面に自然な姿勢で座ったときの足の位置が、ペダルの位置に対してずれていたとしても、ペダルを、ペダル土台とともに足の位置に合うように前後方向に移動させ、固定することができる。したがって、演奏者は、電子楽器の種類に拘らず、ペダルを、その操作に適した位置に確実に移動させることができる。
【００１３】
請求項３に係る発明は、楽器本体の下方に設けられ、演奏音にペダル効果を付与するために演奏者によって操作される電子楽器のペダル装置であって、楽器本体の下方に設けられ、左右方向に延びるペダル土台と、ペダル土台の中央部から左右方向にずれた位置に設けられ、演奏者に向かって斜めに延び、演奏者によって踏み込まれるペダルと、を備えていることを特徴とする。
【００１４】
このペダル装置によれば、ペダルは、楽器本体の下方で左右方向に延びるペダル土台の中央部から左右方向にずれた位置に設けられており、演奏者に向かって斜めに延びている。すなわち、ペダルは、演奏者の正面ではなく斜め前方に設けられており、したがって、演奏者とペダルの間の距離は、ペダルが演奏者の正面に設けられているときよりも大きくなっている。演奏者は、斜め前方のペダルを踏み込むことにより、演奏音にペダル効果を付与する。それにより、例えばキーボードタイプの電子ピアノのように、奥行きが小さい電子楽器であっても、演奏者とペダルの間の距離を十分に確保でき、ペダルの操作を支障なく行うことができる。
【００１５】
請求項４に係る発明は、請求項３に記載の電子楽器のペダル装置において、ペダル土台は、ペダルを左右方向の互いに異なる複数の位置に取付け可能に構成されていることを特徴とする。
【００１６】
このペダル装置によれば、演奏者は、ペダルの位置を、ペダル土台の左右方向の所定の複数の位置のいずれかに設定することができる。それにより、演奏者は、自分の体格に合わせ、ペダルを最も操作し易い位置を選択することができる。
【図面の簡単な説明】
【００１７】
【図１】本発明の第１実施形態によるペダル装置を含む電子ピアノを示す斜視図である。
【図２】図１のペダル装置の構成を示す分解図である。
【図３】図１のペダル装置の（ａ）最前位置および（ｂ）最奥位置をそれぞれ示す平面図である。
【図４】本発明の第２実施形態によるペダル装置を含む電子ピアノを示す斜視図である。
【図５】図４のペダル装置の構成を示す分解図である。
【図６】図４のペダル装置の変形例を示す平面図である。
【発明を実施するための最良の形態】
【００１８】
以下、図面を参照しながら、本発明の実施形態を詳細に説明する。図１は、本発明の第１実施形態によるペダル装置１０を含む電子ピアノ１（電子楽器）を示している。この電子ピアノ１は、ピアノ本体２（楽器本体）と、これを所定の高さで床面Ｆ上に支持する左右の脚３，３と、両脚３，３間に設けられたペダル装置１０などを備えている。また、ピアノ本体２、脚３，３、およびペダル装置１０によって取り囲まれた部分の奥側（演奏者と反対側）には、背板７が設けられていて、それにより、楽器本体２の下方には、前方に開口する空間Ｓが形成されている。電子ピアノ１を演奏する際、演奏者は、その正面の椅子（図示せず）に電子ピアノ１に向かって座り、演奏者の脚が、空間Ｓに入り込んだ状態になる。
【００１９】
ピアノ本体２は、鍵盤４、左右の腕木５，５および演奏音の音色などの設定を行うための操作パネル６などを有している。また、ピアノ本体２内には、鍵盤４の押鍵状態に応じて、電子ピアノ１の発音を制御するための多数の電子部品から成る発音制御装置、およびスピーカ（ともに図示せず）などが取り付けられており、鍵盤４の鍵４ａを押鍵することによって、スピーカから演奏音が発音される。
【００２０】
ペダル装置１０は、ペダル土台１１と、これに設けられた３つのペダル１２などを備えている。ペダル土台１１は、矩形の断面を有し、床面Ｆとわずかな間隙を存して脚３，３間にわたって延びている。また、このペダル土台１１は、左右方向に並んだ土台左部１１ａ、土台中央部１１ｂおよび土台右部１１ｃの３つの部分に分割されている。各ペダル１２は、これらのうちの土台中央部１１ｂに設けられている。
【００２１】
ペダル１２は、左右方向に並設されており、各ペダル１２は、その後部において土台中央部１１ｂの内部に取り付けられていて、前部が土台中央部１１ｂから演奏者側に突出している。また、各ペダル１２の踏込み状態は、ペダルセンサ（図示せず）によって検出され、その検出信号が、ピアノ本体２の発音制御装置に出力されるようになっており、演奏時にペダル１２を踏み込むことによって、演奏音にペダル効果が付与される。また、ペダル装置１０の土台左部１１ａおよび土台右部１１ｃは、左右の脚３，３にそれぞれ固定されているのに対して、土台中央部１１ｂは、移動機構２０によって土台左部１１ａおよび土台右部１１ｃに対して移動自在に設けられている。以下、この移動機構２０について説明する。
【００２２】
図２に示すように、土台中央部１１ｂの左右の側面には、２つのピン１３，１３がそれぞれ設けられている。ピン１３，１３は、前後方向に所定の間隔で並んでおり、外方に突出している。また、土台左部１１ａおよび土台右部１１ｃの各内側面には、溝１４が形成されており、これらの溝１４に、左右のピン１３，１３がそれぞれ係合している。この溝１４は、前後方向に延びており、その長さは、ピン１３，１３間の長さよりも所定の長さだけ大きいとともに、その深さは、ピン１３の高さよりもやや大きくなっている。また、溝１４の底面は、その長さ方向にわたって複数の凹部１５ａが前後方向に並ぶように形成された波形部１５になっている。
【００２３】
以上の構成により、ピン１３、１３が溝１４に係合した状態で、土台中央部１１ｂが上記所定の長さの範囲で前後方向に移動自在になっている。また、各ピン１３は、溝１４の波形部１５の複数の凹部１５ａのいずれかに収容されるようになっており、それにより、土台中央部１１ｂは、波形部１５の凹部１５ａの間隔に等しいピッチで、前後方向に移動可能である。以上のような４つのピン１３および２つの溝１４、１４によって、土台中央部１１ｂの移動機構２０が構成されている。
【００２４】
土台中央部１１ｂの底面の中央には、ねじ受け（図示せず）が形成されており、このねじ受けに、ホルダ１６が下方からねじ込まれている。本実施形態では、これらのねじ受けおよびホルダ１６によって固定機構２１が構成されている。このホルダ１６は、高い強度を有する材料、例えばＡＢＳによって構成されており、圧接部１６ａおよびねじ部１６ｂを有している。圧接部１６ａは、円板状に形成されており、ねじ部１６ｂは、圧接部１６ａの中央から上方に延びていて、土台中央部１１ｂのねじ受けに上下方向に進退自在に取り付けられている。このような固定機構２１により、土台中央部１１ｂは、複数の位置のいずれかにおいて、土台左部１１ａ、土台右部１１ｃおよび左右の脚３、３を介して、ピアノ本体２に対して固定される。
【００２５】
次いで、上述した移動機構２０によるペダル１２の位置の調整方法について説明する。土台中央部１１ｂを固定する場合には、まず、圧接部１６ａを持ち、ホルダ１６を、その圧接部１６ａが土台中央部１１ｂから離れる方向に回転させる。それにより、ホルダ１６が下方に移動し、圧接部１６ａの底面が床面Ｆに当接する。ホルダ１６を同じ方向にさらに回転させると、床面Ｆからの反力によって、土台中央部１１ｂが押し上げられ、そのピン１３が溝１４の上面に押し付けられるとともに、圧接部１６ａが床面Ｆに圧接されることにより、土台中央部１１ｂは、ピアノ本体２に対して固定された状態になる。
【００２６】
一方、この固定状態から、ペダル１２の位置を前後方向に移動させる場合には、ホルダ１６を圧接部１６ａが土台中央部１１ｂに近づく方向に回転させると、各ピン１３が溝１４の波形部１５の１つの凹部１５ａに収容され、さらに回転させることにより、ホルダ１６が上方に移動し、圧接部１６ａが床面Ｆから離れる。これにより、土台中央部１１ｂの固定状態が解除され、土台中央部１１ｂは、その３つのペダル１２とともに前後方向に移動可能な状態になる。演奏者は、電子ピアノ１に向かって座ったときに、ひざを不自然に曲げることなく自然な姿勢で各ペダル１２の操作ができるような所望の位置に、土台中央部１１ｂを前後方向に移動させ、その位置を設定する。このとき、演奏者は、土台中央部１１ｂおよびこれに取り付けられたペダル１２の位置を、前側のピン１３が溝１４の最も前側の凹部１５ａに収容される最前位置（図３（ａ））と、奥側のピン１３が溝１４の最も後ろ側の凹部１５ａに収容される最奥位置（同図（ｂ））との間で、波形部１５の凹部１５ａの間隔に等しいピッチで設定することができる。そして、ペダル１２を所望の位置に移動させた後、前述したように、ホルダ１６で土台中央部１１ｂを固定することにより、その位置調整が完了する。
【００２７】
以上のように、本実施形態によれば、移動機構２０によって電子ピアノ１のペダル土台１１の土台中央部１１ｂを移動させると、これに設けられた各ペダル１２は、演奏者側に突出した状態を維持しながら、土台中央部１１ｂとともに前後方向に移動する。また、移動した土台中央部１１ｂは、固定機構２１によって互いに異なる所定の複数の位置のいずれかにおいて、ピアノ本体２に対して固定される。これにより、演奏者は、土台中央部１１ｂを所定の複数の位置のいずれかに移動させることによって、各ペダル１２の位置を、自分の体格に合わせ、各ペダル１２の操作に最も適した位置に調整することができる。特に、電子ピアノ１の奥行きが小さい場合に、演奏者が電子ピアノ１の正面に自然な姿勢で座ったときの足の位置が、各ペダル１２の位置に対してずれていたとしても、各ペダル１２を、その操作に適した位置に確実に移動させることができる。また、各ペダル１２がペダル土台１１の土台中央部１１ｂなどを介してピアノ本体２に固定されるので、従来のポータブル式のペダルと異なり、各ペダル１２の安定した操作を確保できる。
【００２８】
図４は、本発明の第２実施形態によるペダル装置４０を含む電子ピアノ３０（電子楽器）を示している。なお、本実施形態の電子ピアノ３０は、第１実施形態の電子ピアノ１と基本的に同じ構成を有しているので、図４では、同じ構成要素については、同じ符号を付している。
【００２９】
ペダル装置４０は、ペダル土台４１、ペダルボックス４２およびこれに設けられた１つのペダル４３などを備えている。ペダル土台４１は、矩形の断面を有し、床面Ｆとわずかな間隙を存して脚３，３間にわたって延びている。また、その前部には、ペダルボックス４２を取り付けるための複数（例えば４つ）のボックス取付け用凹部４１ａが形成されている。これらのボックス取付け用凹部４１ａは、ペダル土台４１の左右方向の中央から、それぞれ左右に所定の距離だけずれた位置に並んで配置されている。ペダルボックス４２は、これらのボックス取付け用凹部４１ａのいずれか（図４においては最も右側のもの）に取り付けられており、取り付けられていない他のボックス取付け用凹部４１ａには、これを隠すためにカバー４４が取り付けられている。
【００３０】
図５に示すように、ペダルボックス４２は箱形で、ペダル４３は、その後部においてペダルボックス４２の内部に取り付けられており、前部がペダルボックス４２から突出している。演奏時にこのペダル４３を踏み込むことによって、例えばダンパーペダル効果が演奏音に付与される。また、各ボックス取付け用凹部４１ａは、上端部を残して前方および下方に開放するように平面三角形状に切り欠かれており、ペダルボックス４２が隙間なく取り付けられるような所定のサイズを有している。ペダルボックス４２は、その隣接する２つの側面がボックス取付け用凹部４１ａの壁面に接し、ペダル土台４１に対して斜めに傾いた状態で、取り付けられており、それにより、ペダル４３は、演奏者に向かって斜めに延びた状態になっている。
【００３１】
また、ペダルボックス４２の底面の中央には、ねじ受け（図示せず）が設けられている。このねじ受けには、ホルダ４５が下方からねじ込まれることにより取り付けられている。これらは、前述した第１実施形態のねじ受けおよびホルダ１６と同様に構成されているので、その説明は省略する。
【００３２】
次いで、ペダル４３の取付けおよび取付け位置の変更を行う際の手順を説明する。まず、ペダル４３を取り付ける際には、ペダルボックス４２をボックス取付け用凹部４１ａに嵌め込んだ状態で、ホルダ４５の圧接部４５ａを持ち、ホルダ４５を、その圧接部４５ａがペダルボックス４２から離れる方向に回転させる。これにより、ホルダ４５が下方に移動し、圧接部４５ａの底面が床面Ｆに当接する。ホルダ４５を同じ方向にさらに回転させると、ペダルボックス４２の上面がペダル土台４２を押圧するとともに、圧接部１６ａが床面Ｆに圧接され、これにより、ペダルボックス４２は、ペダル土台４１および左右の脚３，３を介してピアノ本体２に対して固定された状態になる。
【００３３】
一方、この固定状態から、ペダル４３の位置を変更する場合は、ホルダ４５の圧接部４５ａをペダルボックス４２に近づく方向に回転させると、ペダルボックス４２によるペダル土台４１への押圧、および圧接部１６ａの圧接が解除されることによって、ペダルボックス４２の固定状態が解除される。それにより、ペダルボックス４２は、ペダル土台４１から取外し可能な状態になる。演奏者は、左右に並んだ４つの取付け用凹部４１ａのうちから、電子ピアノ１に向かって座ったときに、ひざを不自然に曲げることなく自然な姿勢でペダル４３の操作ができるようなものを選択し、ペダルボックス４２を、選択した取付け用凹部４１ａにペダル４３が演奏者側に突出する状態で取り付ける。そして、前述したように、ホルダ４５でペダルボックス４２を固定することにより、ペダル４３の位置変更が完了する。
【００３４】
以上のように、第２実施形態によれば、ペダル４３は、電子ピアノ３０の下方で左右方向に延びるペダル土台４１の中央部から左右方向にずれた位置に設けられており、演奏者に向かって斜めに突出している。すなわち、ペダル４３は、演奏者の正面ではなく斜め前方に設けられており、したがって、演奏者とペダル４３の間の距離は、ペダル４３が演奏者の正面に設けられているときよりも大きくなっている。したがって、電子ピアノ３０の奥行きが小さい場合であっても、演奏者とペダル４３の間の距離を十分に確保でき、ペダル４３の操作を支障なく行うことができる。
【００３５】
また、演奏者は、ペダル４３の位置を、ペダル土台４１の左右方向の所定の４つの位置のいずれかに設定することができる。それにより、演奏者は、自分の体格や利き足に合わせ、ペダル４３を最も操作しやすい位置を選択することができる。
【００３６】
図６は、上述した第２実施形態の変形例によるペダル装置５０を示している。このペダル装置５０では、そのペダル土台５１の前面が、奥側に凸の緩やかな曲面になっており、その底面には、前面の曲面形状に沿うように、レール５１ａが設けられている。このレール５１ａには、ペダル４３および固定機構２１を有する前述したペダルボックス４２が、ペダル４３が演奏者に向かって延びるように、レール５１ａに沿って左右方向に移動自在に取り付けられている。
【００３７】
このような構成によれば、演奏者は、ペダルボックス４２をレール５１ａに沿って移動させるとともに、固定機構２１で固定することにより、ペダル４３の位置を、レール５１ａに沿う任意の位置に容易に設定することができる。また、ペダル４３の設定位置が、中央から左右に遠ざかるほど、演奏者との距離が大きくなるので、ペダル４３の位置を、演奏者の体格や利き足に応じて、最も操作しやすい位置にきめ細かく調整することができる。
【００３８】
なお、本発明は、説明した上記実施形態に限定されることなく、種々の態様で実施することができる。例えば、各実施形態では、ペダル１２、４３を、前後または左右方向にそれぞれ移動させることにより、その位置調整を行っているが、これに限定されることなく、例えば、ボックス取付け用凹部４１ａを、第２実施形態のものに加え、さらに上方にも設けてもよい。それにより、ペダルの位置を、上下方向にも調整することが可能になり、さらに多くの演奏者の体格などに応じた最適な位置に設定することができる。また、第２実施形態およびその変形例のペダルボックス４２には、ペダル４３が１つのみ取り付けられているが、これに限定されることなく、複数のペダルを取り付けるようにしてもよい。
【００３９】
また、上述した実施形態では、本発明のペダル装置を、電子ピアノに適用した例として説明したが、これに限定されることなく、電子オルガンなどペダルを有する他の電子楽器にも適用することができる。その他、細部の構成を、本発明の趣旨の範囲内で適宜、変更することが可能である。
【符号の説明】
【００４０】
１    電子ピアノ（電子楽器）
２    ピアノ本体（楽器本体）
１０    ペダル装置
１１    ペダル土台
１２    ペダル
２１    固定機構
３０    電子ピアノ（電子楽器）
４０    ペダル装置
４１    ペダル土台
４３    ペダル
５０    ペダル装置
５１    ペダル土台
【図１】
2005070565.tif 000003
【図２】
2005070565.tif 000004
【図３】
2005070565.tif 000005
【図４】
2005070565.tif 000006
【図５】
2005070565.tif 000007
【図６】
2005070565.tif 000008